(57)【要約】【課題】部品点数を削減でき、配置スペースを大型化することなく、パネルに複数のコネクタを配置することができるコネクタホルダを提供する。【解決手段】貫通された係止孔３を有するパネル５に配置されるホルダ本体７と、ホルダ本体７に設けられ複数のコネクタが係合されるコネクタ係合部９と、ホルダ本体７に設けられ係止孔３に挿通される弾性変形可能な係止片１１とを備えたコネクタホルダ１において、係止片１１に、パネル５の一面側と他面側とにホルダ本体７，７が配置され係止片１１，１１が係止孔３に挿通された状態で互いに係合してパネル５の一面側と他面側とにそれぞれホルダ本体７，７を保持する係止突起１３を係止片１１の変形方向に向けて突設した。【選択図】図２
2019125541.tif 000002
【特許請求の範囲】
【請求項１】
貫通された係止孔を有するパネルに配置されるホルダ本体と、
前記ホルダ本体に設けられ複数のコネクタが係合されるコネクタ係合部と、
前記ホルダ本体に設けられ前記係止孔に挿通される弾性変形可能な係止片と、
前記係止片の変形方向に向けて突設され前記パネルの一面側と他面側とに前記ホルダ本体が配置され前記係止片が前記係止孔に挿通された状態で互いに係合して前記パネルの一面側と他面側とにそれぞれ前記ホルダ本体を保持する係止突起と、
を有することを特徴とするコネクタホルダ。
【請求項２】
請求項１記載のコネクタホルダであって、
前記ホルダ本体には、前記係止突起が係合した状態で前記パネルと当接する弾性変形可能な可撓片が設けられていることを特徴とするコネクタホルダ。
【請求項３】
請求項１又は２記載のコネクタホルダであって、
前記係止片には、前記係止片が前記係止孔に挿通された状態で前記係止孔の縁部に係合して前記パネルに前記ホルダ本体を保持する側面突起が前記係止片の変形方向と交差する方向に向けて突設されていることを特徴とするコネクタホルダ。
【発明の詳細な説明】
【技術分野】
【０００１】
本発明は、コネクタホルダに関する。詳細には、コネクタを保持しパネルに配置されるコネクタホルダに関する。
【背景技術】
【０００２】
従来、コネクタホルダとしては、貫通された係止孔を有するパネルに配置されるホルダ本体としてのベース部と、ベース部に設けられコネクタが係合されるコネクタ係合部としての嵌合凸条と、ベース部に設けられ係止孔に挿通され係止孔の縁部に係合してパネルにベース部を保持するアンカー部とを備えたものが知られている（例えば、特許文献１参照）。
【０００３】
このコネクタホルダでは、複数種類の嵌合凸条がベース部に設けられており、複数種類のコネクタを１つのコネクタホルダが保持することができ、コネクタホルダを介して複数種類のコネクタをパネルに配置させることができる。
【先行技術文献】
【特許文献】
【０００４】
【特許文献１】特開２０１０−２０５６９４号公報
【発明の概要】
【発明が解決しようとする課題】
【０００５】
しかしながら、上記特許文献１のようなコネクタホルダでは、１つのコネクタホルダに対して１つのコネクタが保持され、パネルの１つの係止孔に対して１つのコネクタホルダが配置されている。
【０００６】
このため、パネルに複数のコネクタを配置させる場合には、パネルに複数の係止孔を設け、複数の係止孔に対して複数のコネクタホルダを用いなければならず、部品点数の増加や配置スペースが大型化していた。
【０００７】
そこで、この発明は、部品点数を削減でき、配置スペースを大型化することなく、パネルに複数のコネクタを配置することができるコネクタホルダの提供を目的としている。
【課題を解決するための手段】
【０００８】
請求項１記載の発明は、貫通された係止孔を有するパネルに配置されるホルダ本体と、前記ホルダ本体に設けられ複数のコネクタが係合されるコネクタ係合部と、前記ホルダ本体に設けられ前記係止孔に挿通される弾性変形可能な係止片と、前記係止片の変形方向に向けて突設され前記パネルの一面側と他面側とに前記ホルダ本体が配置され前記係止片が前記係止孔に挿通された状態で互いに係合して前記パネルの一面側と他面側とにそれぞれ前記ホルダ本体を保持する係止突起とを有することを特徴とするコネクタホルダである。
【０００９】
このコネクタホルダでは、ホルダ本体に、複数のコネクタが係合されるコネクタ係合部が設けられているので、１つのホルダ本体に対して複数のコネクタを保持することができる。
【００１０】
また、係止片には、パネルの一面側と他面側とにホルダ本体が配置され係止片が係止孔に挿通された状態で互いに係合してパネルの一面側と他面側とにそれぞれホルダ本体を保持する係止突起が係止片の変形方向に向けて突設されているので、パネルの１つの係止孔に対して複数のコネクタを保持したホルダ本体をパネルの一面側と他面側とにそれぞれ配置させることができる。
【００１１】
従って、このようなコネクタホルダでは、部品点数を削減でき、配置スペースを大型化することなく、パネルに複数のコネクタを配置することができる。
【００１２】
また、係止片の係止突起は、パネルの一面側と他面側とに配置された係止突起同士が係合するので、１種類のコネクタホルダを製造するだけでよく、コネクタホルダを低コスト化することができる。
【００１３】
請求項２記載の発明は、請求項１記載のコネクタホルダであって、前記ホルダ本体には、前記係止突起が係合した状態で前記パネルと当接する弾性変形可能な可撓片が設けられていることを特徴とする。
【００１４】
このコネクタホルダでは、ホルダ本体に、係止突起が係合した状態でパネルと当接する弾性変形可能な可撓片が設けられているので、パネルの一面側と他面側とからそれぞれの可撓片の付勢力によって挟み込まれ、パネルに対するホルダ本体のガタつきを抑制することができる。
【００１５】
請求項３記載の発明は、請求項１又は２記載のコネクタホルダであって、前記係止片には、前記係止片が前記係止孔に挿通された状態で前記係止孔の縁部に係合して前記パネルに前記ホルダ本体を保持する側面突起が前記係止片の変形方向と交差する方向に向けて突設されていることを特徴とする。
【００１６】
このコネクタホルダでは、係止片に、係止片が係止孔に挿通された状態で係止孔の縁部に係合してパネルにホルダ本体を保持する側面突起が係止片の変形方向と交差する方向に向けて突設されているので、パネルに一方のコネクタホルダを仮保持した状態で、他方のコネクタホルダをパネルに組付けることができ、組付性を向上することができる。
【発明の効果】
【００１７】
本発明によれば、部品点数を削減でき、配置スペースを大型化することなく、パネルに複数のコネクタを配置することができるコネクタホルダを提供することができるという効果を奏する。
【図面の簡単な説明】
【００１８】
【図１】本発明の実施の形態に係るコネクタホルダをパネルに組付けるときの斜視図である。
【図２】本発明の実施の形態に係るコネクタホルダをパネルに組付けたときの断面図である。
【図３】本発明の実施の形態に係るコネクタホルダの斜視図である。
【図４】本発明の実施の形態に係るコネクタホルダの斜視図である。
【図５】本発明の実施の形態に係るコネクタホルダの要部拡大斜視図である。
【図６】本発明の実施の形態に係るコネクタホルダの要部拡大断面図である。
【発明を実施するための形態】
【００１９】
図１〜図６を用いて本発明の実施の形態に係るコネクタホルダについて説明する。
【００２０】
本実施の形態に係るコネクタホルダ１は、貫通された係止孔３を有するパネル５に配置されるホルダ本体７と、ホルダ本体７に設けられ複数のコネクタが係合されるコネクタ係合部９と、ホルダ本体７に設けられ係止孔３に挿通される弾性変形可能な係止片１１とを備えている。
【００２１】
そして、係止片１１には、パネル５の一面側と他面側とにホルダ本体７，７が配置され係止片１１，１１が係止孔３に挿通された状態で互いに係合してパネル５の一面側と他面側とにそれぞれホルダ本体７，７を保持する係止突起１３が係止片１１の変形方向に向けて突設されている。
【００２２】
また、ホルダ本体７には、係止突起１３，１３が係合した状態でパネル５と当接する弾性変形可能な可撓片１５が設けられている。
【００２３】
さらに、係止片１１には、係止片１１が係止孔３に挿通された状態で係止孔３の縁部に係合してパネル５にホルダ本体７を保持する側面突起１７が係止片１１の変形方向と交差する方向に向けて突設されている。
【００２４】
図１〜図６に示すように、ホルダ本体７は、合成樹脂などの絶縁性材料からなり、筐体状に形成されている。
【００２５】
このホルダ本体７は、車両の内部を区画するパネル５に配置され、このパネル５には、パネル５を貫通する係止孔３が設けられている。
【００２６】
このようなホルダ本体７には、パネル５と反対側の一側にコネクタ係合部９が設けられ、パネル５側の他側に係止片１１が設けられている。
【００２７】
コネクタ係合部９は、ホルダ本体７と連続する一部材で形成され、コネクタ（不図示）の外周を覆う外枠部１９と、コネクタに設けられた係合溝（不図示）に係合される係合レール２１とを有し、ホルダ本体７に複数箇所（ここでは２箇所）設けられている。
【００２８】
このコネクタ係合部９は、各箇所において、係合レール２１がコネクタの係合溝と係合することにより、複数のコネクタがコネクタホルダ１に保持される。
【００２９】
このように１つのコネクタホルダ１に複数のコネクタを保持するコネクタ係合部９を設けることにより、複数のコネクタを配置するためにパネル５に複数の係止孔３を設ける必要がないと共に、パネル５の複数のコネクタを配置する配置スペースを小型化することができる。
【００３０】
係止片１１は、ホルダ本体７から外方に向けてホルダ本体７と連続する一部材で弾性変形可能に突設され、ホルダ本体７に複数（ここでは２つ）設けられている。
【００３１】
この係止片１１は、ホルダ本体７をパネル５に配置させるときに、パネル５の係止孔３に挿通される。
【００３２】
このような係止片１１には、係止突起１３と、側面突起１７とが設けられている。
【００３３】
係止突起１３は、複数の係止片１１にそれぞれ設けられ、係止片１１の変形方向一側に向けて係止片１１と連続する一部材で突設されている。
【００３４】
この係止突起１３は、パネル５の一面側と他面側とにホルダ本体７，７が配置され、それぞれのホルダ本体７，７の複数の係止片１１，１１がパネル５の一面側と他面側とから係止孔３に挿通された状態で、互いの係止突起１３，１３が、ホルダ本体７，７がパネル５から離脱する方向に係合される。
【００３５】
この係止突起１３，１３同士の係合により、パネル５の一面側と他面側とに配置されたホルダ本体７，７がパネル５から脱落することがなく、ホルダ本体７，７をパネル５に保持することができる。
【００３６】
このように複数（ここでは２つ）のコネクタを保持することができるコネクタホルダ１をパネル５の一面側と他面側とに配置することにより、パネル５に１つの係止孔３を設けるだけで、すなわちパネル５の限られた配置スペースで、複数（ここでは４つ）のコネクタをパネル５に配置させることができる。
【００３７】
側面突起１７は、複数（ここでは２つ）の係止片１１のうち少なくとも１つの係止片１１に設けられ、係止片１１の変形方向と交差する方向（ここでは直交方向）に向けて係止片１１と連続する一部材で突設されている。
【００３８】
この側面突起１７は、パネル５の一面側、或いは他面側にホルダ本体７が配置され、ホルダ本体７の複数の係止片１１がパネル５の一面側、或いは他面側から係止孔３に挿通された状態で、係止孔３の縁部に対して、ホルダ本体７がパネル５から離脱する方向に係合される。
【００３９】
この側面突起１７が係止孔３の縁部に係合した状態では、側面突起１７が係止片１１の変形方向と交差する方向に突設されているので、外力などによって係止片１１が弾性変形したとしても、係止孔３の縁部に対する側面突起１７の係合が解除されることがない。
【００４０】
このような側面突起１７を係止孔３の縁部に係合させることにより、一方のコネクタホルダ１をパネル５に仮保持して他方のコネクタホルダ１を組付ける前の待ち受け状態とすることができ、一方のコネクタホルダ１の係止突起１３に、他方のコネクタホルダ１の係止突起１３を係合させ易くすることができ、組付性を向上することができる。
【００４１】
ここで、ホルダ本体７のパネル５側には、係止突起１３，１３が係合した状態、すなわちパネル５の一面側と他面側とにコネクタホルダ１，１が配置された状態で、パネル５に当接する弾性変形可能な可撓片１５が設けられている。
【００４２】
この可撓片１５は、ホルダ本体７と連続する一部材で弾性変形可能に設けられ、係止片１１が係止孔３に挿通された状態でパネル５に当接され、ホルダ本体７に対してパネル５から離れる方向に向けて付勢力を付与する。
【００４３】
このような可撓片１５をホルダ本体７に設けることにより、コネクタホルダ１，１の互いの係止突起１３，１３が係合した状態で、パネル５の両面側から可撓片１５，１５によって挟み込むように付勢力が加わり、パネル５に対するコネクタホルダ１，１のガタつきを抑制することができる。
【００４４】
このようなコネクタホルダ１のパネル５に対する組付けは、まず、パネル５の一面側、或いは他面側から一方のコネクタホルダ１の係止片１１を係止孔３に挿通し、係止孔３の縁部に側面突起１７を係合させ、一方のコネクタホルダ１をパネル５に保持させる。
【００４５】
次に、一方のコネクタホルダ１の係止突起１３と他方のコネクタホルダ１の係止突起１３とが対向するように、他方のコネクタホルダ１をパネル５の他面側、或いは一面側に配置させる。
【００４６】
そして、他方のコネクタホルダ１の係止片１１を係止孔３に挿通し、コネクタホルダ１，１の互いの係止突起１３，１３を係合させ、パネル５に対するコネクタホルダ１の組付けを完了する。
【００４７】
このように１種類のコネクタホルダ１でパネル５の両面側にコネクタホルダ１，１を配置させることができ、複数種類のコネクタホルダ１を製造する必要がなく、コネクタホルダ１の製造コストを低コスト化することができる。
【００４８】
このようなコネクタホルダ１では、ホルダ本体７に、複数のコネクタが係合されるコネクタ係合部９が設けられているので、１つのホルダ本体７に対して複数のコネクタを保持することができる。
【００４９】
また、係止片１１には、パネル５の一面側と他面側とにホルダ本体７，７が配置され係止片１１，１１が係止孔３に挿通された状態で互いに係合してパネル５の一面側と他面側とにそれぞれホルダ本体７，７を保持する係止突起１３が係止片１１の変形方向に向けて突設されているので、パネル５の１つの係止孔３に対して複数のコネクタを保持したホルダ本体７，７をパネル５の一面側と他面側とにそれぞれ配置させることができる。
【００５０】
従って、このようなコネクタホルダ１では、部品点数を削減でき、配置スペースを大型化することなく、パネル５に複数のコネクタを配置することができる。
【００５１】
また、係止片１１の係止突起１３は、パネル５の一面側と他面側とに配置された係止突起１３，１３同士が係合するので、１種類のコネクタホルダ１を製造するだけでよく、コネクタホルダ１を低コスト化することができる。
【００５２】
また、ホルダ本体７には、係止突起１３，１３が係合した状態でパネル５と当接する弾性変形可能な可撓片１５が設けられているので、パネル５の一面側と他面側とからそれぞれの可撓片１５，１５の付勢力によって挟み込まれ、パネル５に対するホルダ本体７，７のガタつきを抑制することができる。
【００５３】
さらに、係止片１１には、係止片１１が係止孔３に挿通された状態で係止孔３の縁部に係合してパネル５にホルダ本体７を保持する側面突起１７が係止片１１の変形方向と交差する方向に向けて突設されているので、パネル５に一方のコネクタホルダ１を仮保持した状態で、他方のコネクタホルダ１をパネル５に組付けることができ、組付性を向上することができる。
【００５４】
なお、本発明の実施の形態に係るコネクタホルダでは、コネクタ係合部がコネクタに設けられた係合溝に係合される係合レールを有しているが、これに限らず、コネクタ係合部とコネクタの被係合部とは、例えば、係止爪と係合凹部とによる係合手段などであってもよく、コネクタホルダにコネクタを保持できる手段であれば、コネクタ係合部はどのような形態であってもよい。
【００５５】
また、コネクタ係合部には、２つのコネクタが係合されるが、これに限らず、コネクタ係合部にコネクタを３つ以上係合させてもよい。
【００５６】
さらに、側面突起は、係止片の変形方向と直交する方向に向けて突設されているが、これに限らず、係止片の変形に影響を受けずに、係止孔の縁部と係合できる位置であれば、側面突起を係止片のどの位置に設けてもよい。
【符号の説明】
【００５７】
１…コネクタホルダ
３…係止孔
５…パネル
７…ホルダ本体
９…コネクタ係合部
１１…係止片
１３…係止突起
１５…可撓片
１７…側面突起
【図１】
2019125541.tif 000003
【図２】
2019125541.tif 000004
【図３】
2019125541.tif 000005
【図４】
2019125541.tif 000006
【図５】
2019125541.tif 000007
【図６】
2019125541.tif 000008